(57)【要約】【解決課題】  デザイン性や着用感を損なうことなく、コートやジャケットなどの厚手のものでも、コンパクトな大きさに収納して携帯し得る衣類を提供すること。【解決手段】  後身頃の裏面に開口部を有する袋体を備えるとともに、前記袋体の内部に紐状体を備えたことを特徴とする衣類である。【選択図】図１
2014019978.tif 000002
【特許請求の範囲】
【請求項１】
後身頃の裏面に開口部を有する袋体を備えるとともに、前記袋体の内部に紐状体を備えたことを特徴とする衣類。
【請求項２】
前記袋体の開口部が、前記袋体表面の略中央部に設けられたものである請求項１記載の衣類。
【請求項３】
前記袋体の開口部において、前記袋体を構成する生地体の対向する端縁部同士が重なり合って配置されたものである請求項２記載の衣類。
【請求項４】
前記生地体が重なり合った部分の一方の端部の長さと他方の端部の長さの比が５：６〜１：３である請求項３記載の衣類。
【請求項５】
前記紐状体が、前記袋体の開口部に設けられたものである請求項１〜４のいずれかの項記載の衣類。
【発明の詳細な説明】
【技術分野】
【０００１】
本発明はコート、オーバーなどの衣類に関し、さらに詳細には、脱いだ後、簡単に収納してバッグ状に変形して携帯することが可能な衣類に関する。
【背景技術】
【０００２】
一般に、気温の変化に応じて、コートやオーバーなどの上着類を着脱して調整するが、脱いだ上着を持ち歩くのは煩わしく、さらに置き忘れてしまうなどの問題がある。このため、脱いだ後、たたんで携帯できる形態に変形可能な衣類が提案されており、例えば、襟刳りの部分に手提げ紐を取り付け、この紐の下方の裾部に、手提げ紐が挿通される挿通紐を備えた手提げ付き衣服が開示されている（特許文献１）。
【０００３】
しかし、この衣服は、手提げ紐や挿通紐を衣服の表側に設ける必要があり、これらの紐が外部から視認できるため、デザイン性が損なわれる欠点がある。またこの衣服は、折りたたんでバック状にしても、コンパクトな大きさにすることができず、携帯性の面でも十分なものとはいえなかった。
【先行技術文献】
【特許文献】
【０００４】
【特許文献１】特開２００３−３１０３２７号公報
【発明の概要】
【発明が解決しようとする課題】
【０００５】
本発明は、デザイン性や着用感を損なうことなく、コートやジャケットなどの厚手の衣類でも、コンパクトな大きさに収納して携帯することが可能な衣類を提供することを課題とする。
【課題を解決するための手段】
【０００６】
上記課題を解決した本発明の衣類は、後身頃の裏面の略中央部に開口部を有する袋体を備えるとともに、袋体の内部に紐状体を備えた構成としている。
【０００７】
また前記袋体の開口部が、袋体表面の略中央部に設けられたものである。
【０００８】
また、前記袋体の開口部において、袋体を構成する生地体の対向する端縁部同士が重なり合って配置されたものである。
【０００９】
さらに、前記生地体が重なり合った部分の一方の端部の長さと他方の端部の長さの比を５：６〜１：３とするものである。
【００１０】
また、前記紐状体が、袋体の開口部に設けられたものである。
【発明の効果】
【００１１】
本発明の衣類は、衣類を収納する袋体を後身頃の裏側に設けているため、デザイン性を損なうことなく、簡便かつ迅速に、コンパクトな大きさに折りたたんで収納することができ、携帯性に優れるものである。また、衣類を袋体に収納した際に、開口部から衣類が視認できないよう開口部をファスナーやボタンで係止するようにすると、着用時にファスナー等が背中にあたって不快感を感じる場合があるが、袋体を構成する生地体の対向する端縁部を、一方の端部の長さと他方の端部の長さの比が一定の範囲となるように重ね合わせて開口部を形成することにより、ファスナー等の係止手段を用いなくとも、収納時に開口部が開かず内部の衣類が露出しないため、着用感にも優れたものとなる。
【図面の簡単な説明】
【００１２】
【図１】本発明の一実施形態（実施形態１）の衣類の前身頃を開いた状態の正面図。
【図２】実施形態１の衣類を幅方向に折り返して三つ折りにした図。
【図３】実施形態１の衣類をさらに高さ方向に折り返した図。
【図４】実施形態１の衣類について、袋体を裏返して収納している状態を示す図。
【図５】実施形態１の衣類について、衣類本体が収納されてリュック状の形態となった図。
【図６】リュック状になった実施例１の衣類を背負った状態を示す図。
【図７】本発明の一実施形態（実施形態２）の衣類の前身頃を開いた状態の正面図。
【図８】実施形態２の衣類について、衣類本体が収納されてバッグ状の形態となった図。
【図９】本発明の一実施形態（実施形態３）の衣類の前身頃を開いた状態の正面図。
【図１０】実施形態３の衣類について、衣類本体が収納されてウェストポーチの形態となった図。
【図１１】本発明の一実施形態（実施形態４）の衣類の前身頃を開いた状態の正面図。
【図１２】実施形態４の衣類について、衣類本体が収納されてバッグの形態となった図。
【発明を実施するための形態】
【００１３】
以下、本発明の衣類を図面に基づいて具体的に説明する。本発明の衣類は特に限定されるものではなく、オーバー、コートなどの上着類やレインコートなどの雨具等も含まれる。なお、本発明は、これらの実施形態に何ら制約されるものではない。
【００１４】
図１は、本発明の一実施形態を示す図であり（実施形態１）、本発明の衣類１を構成する衣類本体２の前身頃２ａを開いた状態の正面図である。本実施形態では衣類としてオーバーを用いており、後身頃２ｂの裏面には袋体３が取り付けられている。袋体３の取り付け位置は特に限定されないが、収納のしやすさ等から後身頃２ｂの略中央部が好適である。袋体３の取り付けは、縫着やボタン、ホック等の係止具等によって行うことができるが、ボタンやホックなどの係止具を用いると着用感が損なわれる場合があるため、縫着により取り付けることが望ましい。縫着する場合、例えば後身頃２ｂの裏地に、袋体３の少なくとも１つの端縁部を縫着すればよい。４つの端縁部を全て縫着すると、袋体３が衣類に固定化されて着脱の際に邪魔にならず、折りたたんで収納する際にも作業がしやすい。他方、全てを縫着せず、例えば上部の１つの端縁部のみを縫着すると、袋体３の下方の端縁部がフリーとなるため、衣類本体２の裾部を折りたたむ際に、折りたたみ幅を自由に調整することが可能となる。
【００１５】
本実施形態においては、袋体３は、１枚の裏側生地体と２枚の表側生地体３ａ、３ｂとから構成されている。２枚の表側生地体３ａ、３ｂは、対向する端縁部同士が重なるように配置されている。すなわち、３ｂの上に３ａの一部が積層され、裏側生地体と重ね合わせられた状態で、４辺の端縁部が縫製されることによって、表面に開口部３ｃが設けられた袋体３が形成されている。重ね合わせた部分の長さは特に限定されるものではないが、例えば、１〜１０ｃｍ程度が好ましく、２〜５ｃｍ程度がより好ましい。袋体３の表面において、２枚の表側生地体３ａ、３ｂを重ね合わせて開口部３ｃを設ける位置は特に限定されないが、収納性等の面から略中央部が好ましい。また本実施形態では、縦方向に開口部３ｃが設けられているが、幅方向に設けられていてもよい。なお、このような形態の袋体を形成するためには、上記のような態様に限られず、例えば一枚の長方形の生地体を用い、対向する両端が重なるように筒状に折りたたみ、各端縁部を縫製することにより、同様の袋体が形成され得る。
【００１６】
袋体３の内部には、紐状体４が備えられている。紐状体４の取り付け位置は、特に限定されないが、開口部３ｃ付近が好ましい。本実施形態においては、紐状体４として、２本の肩ベルトを用いており、衣類本体２を収納した際にリュックとして携帯できるようにしている。これらの２本の紐状体４は、袋体３内部における開口部３ｃの両端部に縫着されている。この紐状体４にファスナーを設けて、衣類の着用時には、ファスナーが閉じられて１本の状態で袋体３に収納され、衣類を収納して携帯する際には、ファスナーを開き２本に分離して背負えるようにしてもよい。
【００１７】
衣類本体２を収納するにあたっては、まず幅方向において、袋体３の右辺および左辺の位置から衣類本体２を表側に折り返して三つ折りにする（図２）。次に高さ方向においても同様にして、袋体３の上辺および下辺の位置から、衣類本体２を表側に折り返す。袋体３の表面からみてほぼ衣類本体２が同じ面積に折りたたまれた状態となる（図３）。衣類本体２を折りたたむ順序は逆でもよく、最初に高さ方向に折りたたんでから、次いで幅方向にたたんでもよい。さらに、この状態から幅方向に衣類を開口部３ｃ付近から表側に２つに折り返し、開口部３ｃを幅方向に両側に開いて、衣類本体２を巻き込むようにして袋体３を裏返していくと、衣類本体２が袋体３の内部に収納される（図４、図５）。内部に設けられていた紐状体４が外側に現れてくるため、これを肩ベルトとして腕を通して袋体３を背負うと、リュックとして携帯することができる（図６）。
【００１８】
袋体３の大きさは特に限定されず、衣類本体２を構成する生地の厚さ等に応じて、所望の大きさとすることができるが、上記のようにして折りたたむため、袋体３の幅方向の長さＷを、衣類１の幅方向の長さの最大値Ｗ’に対し、Ｗ：Ｗ’＝１：２〜１：３の範囲とすると、幅方向に折りたたんだ際に後身頃２ｂを含めて２層ないし３層にとどまり、厚くならないため、収納が容易であり、また嵩張らず携帯しやすいために好ましい。高さ方向も同様であり、袋体３の高さ方向の長さＨは、衣類の高さ方向の最大値Ｈ’に対し、Ｈ：Ｈ’＝１：２〜１：３の範囲とすることが好適である。また袋体３を構成する生地は、衣類本体２を収納しやすいように、収縮性のある生地であることが好ましい。
【００１９】
このように本発明の衣類は極めて容易にコンパクトな大きさに収納し、持ち運びに便利な形態とすることができるが、この状態から、開口部３ｃを左右に広げながら袋体３の生地を裏返すだけで、再び元の衣類本体２の形状に復元し、迅速に着用することが可能である。
【００２０】
また、裏地がない衣類などの場合には、袋体３によって裏地を形成するようにしてもよい。すなわち、袋体３の形状を、衣類本体２の後身頃２ｂの形状に沿って形成することにより、衣類の前身頃を開いて後身頃が視認される状態でも、袋体は通常の裏地と同様のものと認識されるため、違和感がなく、外観上好ましいという利点がある。また、袋体３を構成する生地として、例えば、メッシュ生地を用いることにより、通気性や速乾性を付与できるなど、生地の選択によって裏地として所望の機能を持たせることができる。このように後身頃の形状に沿って形成された袋体において、例えば、略中央付近に幅方向にファスナーで開閉可能な開口部を設けることにより、上記と同様にして、衣類本体を収納することができる。
【００２１】
図７および図８は、本発明の衣類の別の実施形態を示す図であり（実施形態２）、表側生地体３ｂは長方形状であるが、３ａは、一組の対向する辺のうち一方の辺が他方の辺よりも長い台形状となっている。表側生地体３ａ、３ｂは、対向する端縁部同士が重なるように配置されるが、これらが重なり合った部分の一方の短い方の端部の長さl１と、他方の長い方の端部の長さl２の比が、５：６〜１：３であることが好ましく、２：３〜１：２であることがより好ましい。すなわち、衣類を折りたたんで袋体３に収納し、バッグ状にした際に、開口部３ｃが開いて内部の衣類が露出しないように、開口部３ｃにファスナーやボタン等の係止手段を設けると、衣類を着用する際に、ファスナー等が背中に接触して不快感を感じる場合があるが、上記範囲で表側生地体３ａ、３ｂを重ね合わせると、衣類本体２を折りたたんで袋体３に収納し、バッグ状にした際に、開口部３ｃが開き難く、内部の衣類本体２が露出しないため、ファスナー等の係止手段が不要となり、着用感が損なわれることがない。図８は、衣類本体２が袋体３に収納された状態であるが、ファスナー等で係止されていなくても、開口部３ｃは閉じられた状態を維持し、内部の衣類本体２が露出することがなく、収納性、外観に優れるとともに、着用感も良好である。また、袋体３の幅方向の長さをＷとすると、前記重なり合った部分の一方の短い方の端部の長さl１とＷの比は、１：３０〜１０：３０であることが好ましく、１：１５〜１：６であることがより好ましい。l１の具体的な長さは、例えば、１〜１０ｃｍ程度が好ましく、２〜５ｃｍ程度がより好ましい。
【００２２】
図９および図１０は本発明の衣類の別の実施形態を示す図であり（実施形態３）、開口部３ｃが、下端縁部に設けられている。紐状体としてバックル４ａを備えたベルト４を採用しており、その端部が開口部３ｃの両端付近に縫着されている。このように袋体３の表面ではなく、いずれかの端縁部に開口部３ｃが設けられた場合でも同様にして、衣類を折りたたみ、開口部３ｃを広げて生地を裏返すことにより、衣類が収納される。この実施形態では、ベルト４を腰に回してバックル４ａで係止することにより、ウェストポーチとして携帯できる。
【００２３】
図１１および図１２は、別の実施形態であり（実施形態４）、開口部３ｃを構成するそれぞれの生地の端縁部には、上端から下縁まで延び両端が開放されている紐の挿通部（図示せず）が形成されており、ここに紐状体として環状の紐４が挿通されている。この紐４を引っ張ることにより、開口部３ｃが縮小して閉じられ、紐４の部分を把手部として持ち運ぶことができる。
【産業上の利用可能性】
【００２４】
本発明の衣類は、オーバー、コートなどの上着類あるいはレインコートなどの雨具を、不要な場合には、容易に収納して、持ち運び可能な形態とすることができ、必要な場合には、すぐさま復元して羽織ることが可能なものであり、収納性、携帯性に優れる衣類として極めて有用なものである。
【符号の説明】
【００２５】
１…衣類
２…衣類本体
３…袋体
３ａ，３ｂ…表側生地体
３ｃ…開口部
４…紐体
４ａ…バックル
以  上
【図１】
2014019978.tif 000003
【図２】
2014019978.tif 000004
【図３】
2014019978.tif 000005
【図４】
2014019978.tif 000006
【図５】
2014019978.tif 000007
【図６】
2014019978.tif 000008
【図７】
2014019978.tif 000009
【図８】
2014019978.tif 000010
【図９】
2014019978.tif 000011
【図１０】
2014019978.tif 000012
【図１１】
2014019978.tif 000013
【図１２】
2014019978.tif 000014
【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
後身頃の裏面に開口部を有する袋体を備えるとともに、前記袋体の内部に紐状体を備えた衣類であって、前記袋体の開口部が、前記袋体表面の略中央部に設けられ、前記袋体を構成する生地体の対向する端縁部同士が重なり合って配置され、前記生地体が重なり合った部分の一方の端部の長さと他方の端部の長さの比が５：６〜１：３であることを特徴とする衣類。
【請求項２】
前記紐状体が、前記袋体の開口部に設けられたものである請求項１記載の衣類。